(57)【要約】【課題】コンパクトな構成にしながら、ミラーの受光視野を広範囲に調整できるようにしたミラー取付け装置を提供する。【解決手段】ミラーＭを支持する支持板１と構造物Ｓに対する固定用の取付板２とを、それらの端部同士を蝶番機構１０を介して回動可能に連結する。取付板２は構造物Ｓに対して締付けネジ９により該締付けネジを中心に任意の回動角度で固定可能にするか、又は永久磁石２１を利用して構造物Ｓ側の強磁性体板２２に対して任意の相対角度で吸着可能にする。【選択図】図１
2010082421.tif 000002
【特許請求の範囲】
【請求項１】
ミラーを支持する支持板と構造物に対する固定用の取付板とを、それらの端部同士を蝶番機構を介して回動可能に連結し、かつ前記取付板を前記構造物に対して締付けネジにより該締付けネジを中心に任意の回動角度で固定するようにしたミラー取付け装置。
【請求項２】
ミラーを支持する支持板と構造物に対する固定用の取付板とを、それらの端部同士を蝶番機構を介して回動可能に連結し、かつ前記取付板に永久磁石を取り付ける一方、前記構造物に強磁性体を配置し、前記取付板を前記構造物に対し任意の相対角度で吸着させるようにしたミラー取付け装置。
【請求項３】
前記蝶番機構を、前記支持板の端部と前記取付板の端部とにそれぞれ軸受部を形成すると共に、これら軸受部を軸方向が同軸になるように直列に配置し、これら軸受部に枢支軸を挿入して該枢支軸の両端部から軸方向に締付け力を与えるように構成した請求項１又は２に記載のミラー取付け装置。
【請求項４】
前記支持板の軸受部と前記取付板の軸受部との間に弾性材を介在させた請求項３に記載のミラー取付け装置。
【請求項５】
前記ミラーが凸面鏡であり、該凸面鏡の前記支持板による支持を、該支持板に円形の補助板を取り付け、該補助板の周縁部を前記凸面鏡の裏面に接着するようにした請求項１〜４のいずれかに記載のミラー取付け装置。
【請求項６】
前記ミラーが凸面鏡、平面鏡又は凸面鏡機能を有する平面状のフレネルミラーである請求項１〜４のいずれかに記載のミラー取付け装置。
【発明の詳細な説明】
【技術分野】
【０００１】
本発明はミラー取付け装置に関し、さらに詳しくは、コンパクトな構成にしながら、ミラーの受光視野を広範囲に調整できるようにしたミラー取付け装置に関する。
【背景技術】
【０００２】
壁面などにミラーを所定の傾斜角度で取り付けることにより、ミラーに死角から入射する映像を映し出すことができる。特に凸面鏡のミラーは、映し出す死角の範囲を一層広げることができる。このような機能を有するため、ミラーはコンビニエンスストアやスパーマーケットなどの店舗において万引き防止手段として、また公共施設、工場、倉庫などのコーナーにおいて、通行人同士や車両同士、或いは通行人と車両との衝突防止や接触防止の手段として利用されている。
【０００３】
特許文献１は、このように利用されるミラーの取付け装置として、壁面から突出させた複数本の支持アームにより、ミラー背面の上部側左右の位置と下部側の中央位置とを支持するようにし、かつこれら支持アームのうち上部側左右の位置の支持アームの支持長さを互いに異ならせることにより、ミラーの取付角度（傾斜角度）を調整するようにしたものを開示している。
【０００４】
しかし、このミラー取付け装置のように、ミラーの背面側で支持アームの長さを異ならせることによりミラーの取付角度を調整する構成では、ミラー取付け角度を変化させることができる範囲が狭いため、受光視野を広範囲に拡大することができないという問題があった。また、ミラーの背面側で支持アームの支持長さを調節するためには、ミラーの背面側に一定のスペースを確保する必要があるため、取付け壁面からのミラーの位置が必然的に相当離れた距離にならざるを得ず、ミラーを壁面に接近させたコンパクトな状態に取り付けられないという問題があった。
【０００５】
また，ミラーの取付け装置としては、支持アームとしてフレキシブルチューブを使用するものがある。しかし、フレキシブルチューブの場合も、ミラーの背面と取付け壁面との間でフレキシブルチューブを屈曲変形させるための十分なスペースが必要になるため、特許文献１のミラー取付け装置の場合と同様に、ミラーを壁面に可及的に接近させたコンパクトな取り付け状態にすることは難しかった。
【特許文献１】特開２０００−３１６６８８号公報
【発明の開示】
【発明が解決しようとする課題】
【０００６】
本発明の目的は、コンパクトな構成にしながら、ミラーの受光視野を広範囲に調整できるようにしたミラー取付け装置を提供することにある。本発明の他の目的は、ミラーを取付け壁面に接近するようにコンパクトな状態に取付けを可能にするミラー取付け装置を提供することにある。
【課題を解決するための手段】
【０００７】
本発明では二つのミラー取付け装置を提供することができる。その第１番目のミラー取付け装置は、ミラーを支持する支持板と構造物に対する固定用の取付板とを、それらの端部同士を蝶番機構を介して回動可能に連結し、かつ前記取付板を前記構造物に対して締付けネジにより該締付けネジを中心に任意の回動角度で固定するようにしたことを特徴とするものである。
【０００８】
また、第２番目のミラー取付け装置は、ミラーを支持する支持板と構造物に対する固定用の取付板とを、それらの端部同士を蝶番機構を介して回動可能に連結し、かつ前記取付板に永久磁石を取り付ける一方、前記構造物に強磁性体を配置し、前記取付板を前記構造物に対し任意の相対角度で吸着させようにしたことを特徴とするものである。
【０００９】
第１番目及び第２番目のいずれのミラー取付け装置も、前記蝶番機構としては、前記支持板の端部と前記取付板の端部とにそれぞれ軸受部を形成すると共に、これら軸受部を軸方向が同軸になるように直列に配置し、これら軸受部に枢支軸を挿入して該枢支軸の両端部から軸方向に締付け力を与えるように構成したものがよい。また、前記支持板の軸受部と前記取付板の軸受部との間には弾性材を介在させるようにするとよい。
【００１０】
ミラーが凸面鏡である場合は、該凸面鏡の支持板による支持を、該支持板に円形の補助板を取り付け、該補助板の周縁部を前記凸面鏡の裏面に接着するようにするとよい。
【００１１】
また、ミラーとしては、種類は特に限定されないが、凸面鏡、平面鏡又は凸面鏡機能を有する平面状のフレネルミラーなどが好ましく使用される。
【発明の効果】
【００１２】
本発明のミラー取付け装置によれば、第１番目及び第２番目のいずれも、ミラーを支持するための支持板と構造物に対する固定用の取付板とが蝶番機構を介して回動可能に連結されているので、ミラーの支持板を構造物に固定した取付板に対して略１８０度の範囲で回動可能である上に、取付板を、第１番目の発明では締付けネジを中心に構造物に対して３６０°の範囲で回動可能にでき、また第２番目の発明では、永久磁石を介して構造物に対して全ゆる相対角度に吸着できるようになっているため、支持板に支持したミラーの受光視野を非常に広い角度範囲に調整することができる。しかも、ミラーの支持板と構造物に対する取付板とを蝶番機構を介して回動可能に連結したことにより、支持板上のミラーを構造物の取付け壁面に可及的に接近させたコンパクトな状態にすることができる。
【発明を実施するための最良の形態】
【００１３】
図１〜４は、本発明の第１番目のミラー取付け装置について、その実施形態を例示したものである。
【００１４】
図１において、１はミラーＭを支持する支持板であり、２は構造物Ｓに対して固定する取付板である。支持板１と取付板２とは、それらの端部同士が蝶番機構１０を介して回動可能に連結されている。支持板１及び取付板２の材料は金属板が好ましいが、樹脂板で構成したものであってもよい。
【００１５】
取付板２を固定するための構造物Ｓは、一般に建造物などの壁面や天井などである。また、ミラーＭは、図１の例では平面鏡であるが、種類はこれに限定されず、凸面鏡或いは凸面鏡機能を有する平面状のフレネルミラーであってもよい。フレネルミラーとは、凸面鏡を同心円状の多数の径が異なるリングに輪切りにし、これらリングを中心軸を一致させて平面状に並べ変えるように構成した平面状のミラー構造体のことをいう。
【００１６】
ミラーＭは、表面側を反射面をもつ鏡面部Ｍｆにし、背面側を非鏡面部Ｍｂとして構成されている。支持板１には、ミラーＭの非鏡面部Ｍｂが面方向を互いにほぼ平行にするようにして取り付けられている。取付けは、接着剤や両面接着テープなどで直接接着してもよく、或いはネジで固定するようにしてもよい。
【００１７】
図１及び図２を参照すると、支持板１と取付板２とを連結する蝶番機構１０は、次のように構成されている。支持板１と取付板２とが互いに対向し合う端部に、それぞれ円筒状の軸受部３及び軸受部４を形成すると共に、これら軸受部３、４を軸方向が共軸になるよに直列に配置している。このように直列に配置された軸受部３、４の軸心に、頭部７を有する枢支軸５が挿入され、その他端側のネジ部にナット６が螺合するように構成されている。したがって、ナット６を締め付けると、軸受部３、４間に軸方向の締付け力が与えられて圧着されるため、軸受部３、４間に摩擦力が発生し、その摩擦力により支持板１と取付板２との間の相対回転が固定される。反対に、ナット６の締め付けを弛めると、支持板１と取付板２とは相対回転が許容されるようになる。
【００１８】
一方、取付板２は、図３に示すように、構造物Ｓの壁面に対して１本の締付けネジ９により固定されるようになっている。締付けネジ９により取付板２を固定した状態で、蝶番機構１０のナット６を弛めると、支持板１の取付板２に対する開き角度αを、枢支軸５を中心にして略１８０°の範囲で変化させることができ、またナット６を締め付けると、支持板１の開き角度αを任意の角度で固定することができる。他方、図３及び図４に示すように、取付板２の締付けネジ９を弛めると、支持板１を取付板２と共に締付けネジ９の軸周りに回動させ、その軸周り対する回動角度βを３６０°の範囲にわたり変化させることができると共に、締付けネジ９を締め付けると、任意の回動角度βで固定することができる。
【００１９】
上述のようにミラーＭを支持した支持板１は、蝶番機構１０の枢支軸５の周りを回動できるだけでなく、締付けネジ９の軸周りにも回動することができるため、支持板１の開き角度αを約１８０°の範囲にわたり、また回動角度βを３６０°の範囲にわたり変化させることにより、ミラーＭの傾斜角度を極めて広範囲に変化させることができる。そのため、ミラーＭの受光視野を大幅に広い範囲にわたり調節することができる。また、上記ミラー取付け装置は、ミラーＭを支持する支持板１と構造物Ｓに固定する取付板２とを蝶番機構１０を介して回動可能に連結した構成であるため、支持板１に支持したミラーＭを構造物Ｓの取付け壁面に対し可及的に接近させて、コンパクトな取り付けた状態にすることができる。
【００２０】
本発明において、蝶番機構１０における軸受部３、４間の摩擦力による回転制御を効果的に行うためには、軸受部３と軸受部４との間にスプリングワッシャなどの弾性材８を介在させるとよい。さらに必要により、枢支軸５の頭部７と軸受部３との間及びナット６と軸受部４との間にも、スプリングワッシャなどの弾性材８を介在させるとよい。このように、少なくとも軸受部３と軸受部４との間に弾性材８を介在させると、ナット６の締付け力を調整することにより軸受部３、４間の摩擦力を所望の大きさにすることができる。この軸受部３、４間の摩擦力の調整により、手で支持板１を押圧するだけで支持板１を取付板２に対して所望の開き角度（回動角度）に変える一方、手の押圧を解除したとき、その支持板１の開き角度を静止状態に維持することができる。
【００２１】
図５及び６は、本発明の第２番目のミラー取付け装置について、その実施形態を例示したものである。
【００２２】
このミラー取付け装置は、第１番目のミラー取付け装置と同様に、ミラーＭを支持する支持板１と構造物Ｓに対して固定する取付板２とは、蝶番機構１０を介して回動可能に連結されている。また、蝶番機構１０は、支持板１側の軸受部３と取付板２側の軸受部４とが直列に配列するように衝き合わされ、これらの軸受部３、４の軸心に頭部７付き枢支軸５が挿入され、他端のネジ部にナット６が螺合しりように構成されている。さらに蝶番機構１０には、軸受部３と軸受部４の間にスプリングワッシャなどの弾性材８が介在し、好ましくは枢支軸５の頭部７と軸受部３との間及びナット６と軸受部４との間にも弾性材８が介在している。
【００２３】
取付板２の構造物Ｓの壁面に対する固定は、締付けネジで行うのではなく、永久磁石２１を利用して吸着するようになっている。取付板２の裏面側に永久磁石２１が貼着され、これに対して構造物Ｓの壁面側に、鉄、コバルト、ニッケルなどの強磁性体からなる強磁性体板２２が貼着されるようになっている。このように永久磁石２１が取り付けられていることにより、取付板２を構造物Ｓ上の強磁性体板２２に吸着させることができる。永久磁石２１による吸着であるため、締付けネジのように１点に拘束されていないので、取付板２の構造物Ｓに対する取付け角度を高い自由度で選択することができる。
【００２４】
支持板１に支持するミラーＭは、図の実施形態では凸面鏡である。この凸面鏡からなるミラーＭを取り付けるため、支持板１は円形に切り出された補助板２３を取り付け、この補助板２３をミラーＭの球状の内壁面Ｍｂに貼り付けるようにしている。補助板２３の貼り付けは、補助板２３の周縁部に接着剤２４を介在させてミラーＭの球状の内壁面Ｍｂに接着するようにすればよい。さらに必要により、図示の例のように頭付ボルト２５とナット２６で連結すれば、接着剤が剥離した場合の脱落を防止することができる。
【００２５】
この第２番目のミラー取付け装置も、ミラーＭの支持板１が蝶番機構１０の枢支軸５の周りに回動可能になっているだけでなく、取付板２が構造物Ｓに対して広範囲の相対角度で吸着するようになっているため、支持板１に支持されたミラーＭの傾斜角度を広範囲に変化させることができる。そのため、ミラーＭの受光視野を幅広い範囲にわたり調節することができる。また、ミラーＭを構造物Ｓの取付け壁面に可及的に接近させたコンパクトな取付け状態にすることができる。
【００２６】
なお、第１番目及び第２番目の発明とも、図示の例では、軸受部３と軸受部４をそれぞれ支持板１と取付板２とに１個ずつ設けた構成になっているが、その数は２個ずつ以上であってもよく、数は特に限定されるものではない。また、支持板１側の軸受部３の数と取付板２側の軸受部４の数とは同数でなくてもよく、一方の数に対して他方の数を１個だけ多く設けるものであってもよい。ただし、いずれの場合にも、支持板１側の軸受部３と取付板２側の軸受部４とは、軸方向に交互に配列するようにしなければならない。
【図面の簡単な説明】
【００２７】
【図１】本発明の実施形態からなるミラー取付け装置を示す斜視図である。
【図２】図１のミラー取付け装置における蝶番機構の要部を示す断面図である。
【図３】本発明のミラー取付け装置における支持板の変化を説明する側面図である。
【図４】本発明のミラー取付け装置における支持板と取付板の変化を説明する平面図である。
【図５】本発明の他の実施形態からなるミラー取付け装置を示す斜視図である。
【図６】図５のミラー取付け装置の縦断面図である。
【符号の説明】
【００２８】
１  （ミラーＭの）支持板
２  （構造物Ｓに対する）取付板
３、４  軸受部
５  枢支軸
６  ナット
８  弾性材
９  締付けネジ
１０  蝶番機構
２１  永久磁石
２２  強磁性体板
２３  補助板
２４  接着剤
Ｍ  ミラー
Ｓ  構造物
【図１】
2010082421.tif 000003
【図２】
2010082421.tif 000004
【図３】
2010082421.tif 000005
【図４】
2010082421.tif 000006
【図５】
2010082421.tif 000007
【図６】
2010082421.tif 000008